(57)【要約】道路を対象交差点Ｋに向かって走行する、他車両Ａとは異なる周囲物体（Ｂ）を検出する。他車両Ａが周囲物体（Ｂ）を追従している場合は、他車両Ａの予測進路の代わりに、周囲物体の予測進路に基づいて、自車両Ｓの走行を支援する。
2019171100.tif 000002
【特許請求の範囲】
【請求項１】
交差点に向かって道路を走行する他車両と他車両とは異なる周囲物体の予測進路に基づいて自車両の走行を支援する車両走行支援装置の車両走行支援方法であって、
前記道路を前記交差点に向かって走行する、前記周囲物体を検出し、
前記他車両が前記周囲物体を追従している場合は、前記他車両の予測進路の代わりに、前記周囲物体の予測進路に基づいて、前記自車両の走行を支援する
ことを特徴とする車両走行支援方法。
【請求項２】
前記他車両が前記周囲物体を追従していない場合は、前記他車両が前記交差点を前記道路の幅方向の中央よりも前記周囲物体側の方向に曲がらないと予測する
ことを特徴とする請求項１記載の車画走行支援方法。
【請求項３】
前記交差点までの距離が所定の閾値より長い区間で、前記他車両が一定の速度で前記周囲物体を追い越した場合は、前記他車両が前記交差点を前記道路の幅方向の中央よりも前記周囲物体側の方向に曲がらないと予測する
ことを特徴とする請求項１又は２記載の車画走行支援方法。
【請求項４】
前記交差点までの距離が所定の閾値より長い区間で、前記他車両が加速しながら前記周囲物体を追い越した場合は、前記他車両が前記交差点を前記道路の幅方向の中央よりも前記周囲物体側の方向に曲がると予測する
ことを特徴とする請求項１ないし３のいずれかに記載の車両走行支援方法。
【請求項５】
交差点に向かって道路を走行する他車両と他車両とは異なる周囲物体の予測進路に基づいて自車両の走行を支援する車両走行支援装置であって、
前記道路を前記交差点に向かって走行する、前記周囲物体を検出するセンサと、
前記他車両が前記周囲物体を追従している場合は、前記他車両の予測進路の代わりに、前記周囲物体の予測進路に基づいて、前記自車両の走行を支援する制御回路と
を備えることを特徴とする車画走行支援装置。
【発明の詳細な説明】
【技術分野】
【０００１】  本発明は、車両走行支援方法及び車両走行支援装置に関する。
に関する。
【背景技術】
【０００２】  従来においては、道路を横断する歩行者などに基づくリスクを道路の幅方向に横断して分布するリスク分布として設定し、リスク分布におけるリスク値が閾値に達した場合、ドライバに対して停止を促す警報を出力するという技術が開示されている（特許文献１参照）。
【先行技術文献】
【特許文献】
【０００３】
【特許文献１】特開２０１０−７９４２５号公報
【発明の概要】
【発明が解決しようとする課題】
【０００４】  上記の技術は、歩行者などのリスクに基づいて車両の停止を促すものであるが、道路を他車両及び他車両とは異なる周囲物体（例えば、２輪車）が走行する状況を考慮したものではない。他車両と周囲物体が同じ道路を走行している場合、周囲物体の進路と他車両の進路をより早期に予測できれば、予測した進路に基づいて自車両の走行を支援できる。【０００５】  本発明は、上記課題に鑑みて成されたものであり、その目的は、より早期に周囲物体と他車両の進路を予測でき、予測した進路に基づいて自車両の走行を支援できる車両走行支援方法及び車両走行制御装置を提供することである。
【課題を解決するための手段】
【０００６】  本発明の一態様に係る車両走行支援方法は、道路を交差点に向かって走行する、他車両とは異なる周囲物体を検出する。他車両が周囲物体を追従している場合は、他車両の予測進路の代わりに、周囲物体の予測進路に基づいて、自車両の走行を支援する。
【発明の効果】
【０００７】  本発明によれば、より早期に周囲物体と他車両の進路を予測でき、予測した進路に基づいて自車両の走行を支援できる。
【図面の簡単な説明】
【０００８】
【図１】図１は、実施形態に係わる車両走行支援装置の構成を示すブロック図である。
【図２】図２は、マイクロコンピュータ１００におけるメインの処理ルーチンを示すフローチャートである。
【図３】図３は、他車両の進路予測処理（Ｓ９）の詳細な流れを示すフローチャートである。
【図４Ａ】図４Ａは、他車両Ａが２輪車Ｂに追従している場合における他車両Ａ及び２輪車Ｂの進路及び自車両Ｓの走行経路を示す図である。
【図４Ｂ】図４Ｂは、他車両Ａが２輪車Ｂに追従していない場合の他車両Ａの進路を示す図である。
【図４Ｃ】図４Ｃは、２輪車Ｂから対象交差点Ｋまでの距離ｄが閾値ｄｔｈより長く、他車両Ａが２輪車Ｂを加速しないで追い越した場合の他車両Ａの進路及び自車両Ｓの走行経路を示す図である。
【図４Ｄ】図４Ｄは、２輪車Ｂから対象交差点Ｋまでの距離ｄが閾値ｄｔｈより長く、他車両Ａが２輪車Ｂを加速しながら追い越し、２輪車Ｂと他車両Ａが走行する道路に２輪車専用レーンｒがある場合の他車両Ａの進路及び自車両Ｓの走行経路を示す図である。
【図４Ｅ】図４Ｅは、２輪車Ｂから対象交差点Ｋまでの距離ｄが閾値ｄｔｈより長く、他車両Ａが２輪車Ｂを加速しながら追い越し、２輪車Ｂと他車両Ａが走行する道路に２輪車専用レーンがない場合における他車両Ａと２輪車Ｂの進路及び自車両Ｓの走行経路を示す図である。
【図５Ａ】図５Ａは、２輪車Ｂから対象交差点Ｋまでの距離ｄが閾値ｄｔｈ以下の場合の他車両Ａの進路を示す図である。
【図５Ｂ】図５Ｂは、２輪車Ｂから対象交差点Ｋまでの距離ｄが閾値ｄｔｈ以下であり、自車両Ｓが右折の方向指示を行い、他車両Ａが減速した場合の他車両Ａの進路及び自車両Ｓの走行経路を示す図である。
【図５Ｃ】図５Ｃは、２輪車Ｂから対象交差点Ｋまでの距離ｄが閾値ｄｔｈ以下であり、他車両Ａが仮に左折した後に走行する道路Ｒ２を横切る横断歩道Ｐなどに歩行者Ｈがいて、他車両Ａが減速した場合の他車両Ａの進路及び自車両Ｓの走行経路を示す図である。
【図６Ａ】図６Ａは、対象交差点Ｋに信号機がなく、他車両Ａが仮に左折した後に走行する道路Ｒ２を自車両Ｓが対象交差点Ｋに向かって走行し、他車両Ａが２輪車Ｂに追従している場合における他車両Ａと２輪車Ｂの進路及び自車両Ｓの走行経路を示す図である。
【図６Ｂ】図６Ｂは、自車両Ｓが他車両Ａの後方を対象交差点Ｋに向かって走行し、他車両Ａが２輪車Ｂに追従している場合における他車両Ａと２輪車Ｂの進路及び自車両Ｓの走行経路を示す図である。
【発明を実施するための形態】
【０００９】  次に、図面を参照して、本発明の実施の形態を詳細に説明する。説明において、同一のものには同一符号を付して重複説明を省略する。
【００１０】  図１を参照して、実施形態に係わる車両走行支援装置の構成を説明する。車両走行支援装置は、物体検出装置１と、自車位置推定装置３と、地図取得装置４と、マイクロコンピュータ１００とを備える。この車両走行支援装置を搭載した車両を自車両という。
【００１１】  物体検出装置１は、自車両に搭載された、レーザレーダやミリ波レーダ、カメラなど、自車両の周囲の物体を検出する、複数の異なる種類の物体検出センサを備える。物体検出装置１は、複数の物体検出センサを用いて、自車両の周囲における物体を検出する。物体検出装置１は、他車両、バイク、自転車、歩行者を含む移動物体、及び駐車車両を含む静止物体を検出する。例えば、移動物体及び静止物体の自車両に対する位置、姿勢、大きさ、速度、加速度、減速度、ヨーレートを検出する。なお、物体の位置、姿勢（ヨー角）、大きさ、速度、加速度、減速度、ヨーレートを纏めて、物体の「挙動」と呼ぶ。物体検出装置１は、検出結果として、例えば自車両の上方の空中から眺める天頂図における、２次元の物体の挙動を出力する。
【００１２】  自車位置推定装置３は、自車両に搭載された、ＧＰＳ（グローバル・ポジショニング・システム）やオドメトリなど自車両の絶対位置を計測する位置検出センサを備える。自車位置推定装置３は、位置検出センサを用いて、自車両の絶対位置、すなわち、所定の基準点に対する自車両の位置、姿勢及び速度を計測する。
【００１３】  地図取得装置４は、自車両が走行する道路の構造を示す地図情報を取得する。地図取得装置４は、地図情報を格納した地図データベースを所有してもよいし、クラウドコンピューティングにより地図情報を外部の地図データサーバから取得しても構わない。地図取得装置４が取得する地図情報には、車線の絶対位置や車線の接続関係、相対位置関係などの道路構造の情報が含まれる。つまり、地図情報には、交差点の位置、交差点に接続する道路の位置と方向と幅、各道路の車線構成と各車線の位置と幅が含まれる。また、地図情報には、交差点に進入する車線ごとの右左折及び直進の可否を示す情報が含まれる。つまり、地図情報には交差点での交通ルールが含まれる。
【００１４】  マイクロコンピュータ１００は、物体検出装置１及び自車位置推定装置３による検出結果及び地図取得装置４による取得情報に基づいて、他車両の進路を予測し、予測した進路に基づいて自車両の走行を支援する制御回路である。他車両は、自車両にとってリスクの判断対象ということができる。ここでは自車両の走行を支援するにあたり、自車両の経路を生成し、生成した経路に従って自車両を制御する。さらに、場合によっては、他車両とは異なる周囲物体の進路を予測し、予測した周囲物体の進路に基づいて自車両の走行を支援する。周囲物体も自車両にとってリスクの判断対象ということができる。ここでは、他車両と同様に、自車両の経路を生成し、生成した経路に従って自車両を制御する。周囲物体は、例えば、２輪車、３輪車、人力車などである。実施形態では、周囲物体が２輪車（周囲物体の一例）であることとして説明を行う。
【００１５】  マイクロコンピュータ１００は、ＣＰＵ（中央処理装置）、メモリ、及び入出力部を備える汎用のマイクロコンピュータである。マイクロコンピュータ１００には、車両走行支援装置として機能させるためのコンピュータプログラム（車両走行支援プログラム）がインストールされている。コンピュータプログラムを実行することにより、マイクロコンピュータ１００は、車両走行支援装置が備える複数の情報処理回路（２ａ、２ｂ、５、１０、２１、２２）として機能する。なお、ここでは、ソフトウェアによって車両走行支援装置が備える複数の情報処理回路（２ａ、２ｂ、５、１０、２１、２２）を実現する例を示すが、もちろん、以下に示す各情報処理を実行するための専用のハードウェアを用意して、情報処理回路（２ａ、２ｂ、５、１０、２１、２２）を構成することも可能である。また、複数の情報処理回路（２ａ、２ｂ、５、１０、２１、２２）を個別のハードウェアにより構成してもよい。更に、情報処理回路（２ａ、２ｂ、５、１０、２１、２２）は、車両にかかわる他の制御に用いる電子制御ユニット（ＥＣＵ）と兼用してもよい。
【００１６】  マイクロコンピュータ１００は、複数の情報処理回路（２ａ、２ｂ、５、１０、２１、２２）として、検出統合部２ａと、物体追跡部２ｂと、地図内位置演算部５と、動作予測部１０と、自車経路生成部２１と、車両制御部２２とを備える。更に、動作予測部１０は、交差点判定部１２と、２輪車検出部１３と、他車両検出部１４と、進路予測部１５とを備える。
【００１７】  検出統合部２ａは、物体検出装置１が備える複数の物体検出センサの各々から得られた複数の検出結果を統合して、各物体に対して一つの検出結果を出力する。具体的には、物体検出センサの各々から得られた物体の挙動から、各物体検出センサの誤差特性などを考慮した上で最も誤差が少なくなる最も合理的な物体の挙動を算出する。具体的には、既知のセンサ・フュージョン技術を用いることにより、複数種類のセンサで取得した検出結果を総合的に評価して、より正確な検出結果を得る。
【００１８】  物体追跡部２ｂは、物体検出装置１によって検出された物体を追跡する。具体的に、検出統合部２ａにより統合された検出結果から、異なる時刻に出力された物体の挙動から、異なる時刻間における物体の同一性の検証（対応付け）を行い、且つ、その対応付けを基に、物体の挙動を予測する。なお、異なる時刻に出力された物体の挙動は、マイクロコンピュータ１００内のメモリに記憶され、後述する軌道予測の際に用いられる。
【００１９】  地図内位置演算部５は、自車位置推定装置３により得られた自車両の絶対位置、及び地図取得装置４により取得された地図データから、地図上における自車両の位置及び姿勢を推定する。例えば、自車両が走行している道路、更に当該道路のうちで自車両が走行する車線を特定する。
【００２０】  動作予測部１０では、検出統合部２ａと物体追跡部２ｂにより得られた検出結果と、地図内位置演算部５により特定された自車両の位置（以下、自車両位置という）と、地図取得装置４により得られる地図情報に基づいて、自車両の周囲における移動物体の動作を予測する。以下に、動作予測部１０の具体的な構成を説明する。
【００２１】  挙動判定部１１は、検出統合部２ａと物体追跡部２ｂによる検出結果、自車両位置及び地図情報に基づいて、地図上における物体の挙動を特定する。更に、挙動判定部１１は、物体の地図上の位置が時間の経過と共に変化する場合、当該物体は「移動物体」であると判断し、移動物体の大きさ及び速度から、当該移動物体の属性（他車両、歩行者）を判断する。そして、移動物体が走行中の「他車両」であると判断した場合、挙動判定部１１は、当該他車両が走行する道路及び車線と判定する。
【００２２】  なお、物体の地図上の位置が時間の経過と共にしない場合、静止物体であると判断し、静止物体の地図上の位置、姿勢及び大きさから、静止物体の属性（駐車車両、歩行者など）を判定する。挙動判定部１１により得られた判定結果を挙動判定結果という。
【００２３】  交差点判定部１２は、自車両位置と、地図情報に登録された交差点の位置とに基づいて、自車両が次に向かう交差点（以下、対象交差点という）から所定の距離以下の区間を自車両が走行しているか否かを判定する。
【００２４】  ２輪車検出部１３は、検出統合部２ａと物体追跡部２ｂと挙動判定部１１による検出結果に基づいて、対象交差点に向かって走行する２輪車（以下、単に２輪車という）と２輪車が走行する道路を検出する。２輪車とは、自転車、原動機付自転車  普通自動二輪車、大型自動二輪車などを指す。
【００２５】  他車両検出部１４は、検出統合部２ａと物体追跡部２ｂと挙動判定部１１による検出結果に基づいて、２輪車が走行する道路を対象交差点に向かって走行する他車両（以下、単に他車両という）を検出する。
【００２６】  進路予測部１５は、検出統合部２ａと物体追跡部２ｂと挙動判定部１１による検出結果と地図情報に基づいて、他車両の対象交差点での進路を予測する。つまり、進路予測部１５は、他車両が（１）直進するか、（２）２輪車と他車両が走行する道路の幅方向の中央よりも２輪車側の方向（以下、「２輪車の方向」という）に曲がる（対向車線があれば対向車線を跨がないで曲がる）か、（３）２輪車の方向とは反対の方向に曲がる（対向車線があれば対向車線を跨いで曲がる）かを予測する。具体的には、進路予測部１５は、各進路について、この進路に進む可能性を示す尤度を計算し、他車両は最高の尤度に対応する進路に進むと予測する。
【００２７】  以下、（１）直進の進路に対応する尤度を尤度ｖ１、（２）２輪車の方向の進路（２輪車の方向に曲がる）に対応する尤度を尤度ｖ２、（３）２輪車の方向とは反対の方向の進路（２輪車の方向とは反対の方向に曲がる）に対応する尤度を尤度ｖ３という。また、各尤度は、他車両の進路予測（後述のステップＳ９）に先立ち、同じ値に初期化されることとする。
【００２８】  また、進路予測部１５は、場合によっては、検出統合部２ａと物体追跡部２ｂと挙動判定部１１による検出結果と地図情報に基づいて、２輪車の進路を予測する。
【００２９】  自車経路生成部２１は、動作予測部１０により予測された他車両又は２輪車の進路に基づいて、自車両の経路を生成する。また、経路上での走行、停止の計画を生成する。以下、走行、停止の計画を含め、経路という。
【００３０】  車両制御部２２では、自車経路生成部２１により生成された経路に従って自車両が経路を走行すべく、自車両位置に基づいて、ステアリングアクチュエータ、アクセルペダルアクチュエータ、及びブレーキペダルアクチュエータから必要なものを選択して駆動する。
【００３１】  図２は、マイクロコンピュータ１００におけるメインの処理ルーチンを示すフローチャートである。
【００３２】  自車両のイグニションをＯＮさせると、まず、挙動判定部１１が、地図上における物体の挙動を特定し、移動物体の属性を検出する（Ｓ１）。
次に、地図内位置演算部５が、地図上における自車両の位置（自車両位置）を検出する（Ｓ３）。
【００３３】  次に、交差点判定部１２が、地図情報を取得し（Ｓ５）、地図情報とステップＳ３で検出した自車両位置に基づいて、自車両が次に向かう交差点（対象交差点）から所定の距離以下の区間を自車両が走行しているか否かを判定する（Ｓ７）。走行していない場合、ステップＳ１に戻り、走行している場合は、他車両の進路予測処理（Ｓ９）を実行する。
【００３４】  他車両の進路予測処理が終わると、進路予測部１５は、最も高い尤度が尤度ｖ２か否かを判定する（Ｓ１０）。進路予測部１５は、最も高い尤度が尤度ｖ２の場合は（Ｓ１０：ＹＥＳ）、２輪車の進路予測処理を行う（Ｓ１１）。２輪車の進路予測処理（Ｓ１１）では、進路予測部１５が、他車両の進路予測処理（Ｓ９）の中で検出した２輪車の進路を予測する。具体的には、２輪車の挙動（例えば２輪車の加速や減速）及び２輪車が走行する車線の車幅方向に対する走行位置を検出し、検出した挙動及び走行位置に基づいて、２輪車の進路を予測する。すなわち、最も高い尤度が尤度ｖ２の場合は（Ｓ１０：ＹＥＳ）、２輪車が自車両にとってリスクの判断対象となる。
【００３５】  自車経路生成部２１は、最も高い尤度が尤度ｖ２でなく、尤度ｖ１又は尤度ｖ３の場合（Ｓ１０：ＮＯ）、予測した他車両の進路に基づいて、自車両の経路を生成する（Ｓ１２）。一方、２輪車の進路予測処理（Ｓ１１）を実行した場合、自車経路生成部２１は、２輪車の進路に基づいて、自車両の経路を生成する（Ｓ１２）。
【００３６】  ここでは、例えば２輪車の走行を妨害しないような自車両の進路を決定する。又は、他車両が、最も高い尤度に対応する進路に進むこととし、その際に自車両の走行が適切になるように、他車両の進路に基づいて、自車両の進路を決定する。例えば、対象交差点での交通ルールを遵守するような経路を生成する。なお、予測した他車両の進路と２輪車の進路の両方に基づいて、自車両の経路を生成してもよい。すなわち、少なくとも２輪車の進路に基づいて、自車両の経路を生成してもよい。
【００３７】  次に、車両制御部２２が、経路に従って自車両が走行するように自車両を制御することで、自車両を走行支援する（Ｓ１３）。自車両は走行中、必要な場合には減速、停止する。
【００３８】  次に、自車両のイグニションがＯＦＦ（オフ）か否かを判定し（Ｓ１５）、ＯＮ（オン）の場合はステップＳ１に戻り、一方ＯＦＦの場合は、メインの処理ルーチンを終了する。
【００３９】  図３は、他車両の進路予測処理（Ｓ９）の詳細な流れを示すフローチャートである。
まず、２輪車検出部１３は、検出統合部２ａと物体追跡部２ｂと挙動判定部１１による検出結果と地図情報に基づいて、対象交差点に向かって走行している２輪車と、２輪車が走行する道路を検出する（Ｓ２１）。なお、２輪車検出部１３は、物体検出装置１（センサ）の検出結果を基に２輪車を検出するのであり、物体検出装置１（センサ）が２輪車を検出すると言ってもよい。
【００４０】  次に、他車両検出部１４は、検出統合部２ａと物体追跡部２ｂと挙動判定部１１による検出結果と地図情報と、ステップＳ２１で検出した道路の位置に基づいて、２輪車が走行する道路を対象交差点に向かって走行する、２輪車とは異なる車両（他車両）を検出する（Ｓ２３）。なお、他車両検出部１４は、物体検出装置１（センサ）の検出結果を基に他車両を検出するのであり、物体検出装置１（センサ）が他車両を検出すると言ってもよい。
【００４１】  以下、車線、２輪車、他車両及び歩行者に関する判定は、検出統合部２ａと物体追跡部２ｂと挙動判定部１１による検出結果、自車画位置及び地図情報に基づいて実行される。
【００４２】  まず、進路予測部１５が、他車両が２輪車を追従しているか否かを判定する（Ｓ２５）。つまり、他車両が２輪車の後方又は斜め後方を走行しているか否かを判定する（Ｓ２５）。他車両が２輪車を追い越した場合は、他車両が２輪車の後方又は斜め後方を走行していないので、他車両が２輪車を追従していないと判定する（Ｓ２５：ＮＯ）。
【００４３】  例えば、２輪車の速度と他車両の速度が同程度であり、２輪車と他車両の距離がほぼ一定の場合は、他車両が２輪車を追従していると判定する。２輪車の速度より他車両の速度が速い場合は、判定のタイミングを遅くし、２輪車と他車両の距離がほぼ一定となった場合は、他車両が２輪車を追従していると判定するのが好ましい。
【００４４】  他車両が２輪車を追従している場合は（Ｓ２５：ＹＥＳ）、尤度ｖ２を高め（Ｓ２７）、処理を終了する。つまり、ステップＳ２７では、他車両は対象交差点を２輪車の方向に曲がると予測する。車両が右側通行の場合、他車両は対象交差点を右折すると予測する（Ｓ２７）。
【００４５】  進路予測部１５は、他車両が２輪車を追従していない場合は（Ｓ２５：ＮＯ）、すなわち、他車両が２輪車を追い越した場合は、２輪車から対象交差点までの距離（以下、距離ｄという）を測定する（Ｓ２９）。
【００４６】  次に、進路予測部１５は、距離ｄが所定の閾値ｄｔｈ（例えば、３０ｍ〜５０ｍ程度に予め設定される）以下か否かを判定する（Ｓ３１）。
進路予測部１５は、距離ｄが閾値ｄｔｈより長い場合は（Ｓ３１：ＮＯ）、他車両が２輪車を加速しながら追い越したか否かを判定する（Ｓ３３）。他車両が２輪車を加速しながら追い越した場合は（Ｓ３３：ＹＥＳ）、ステップＳ２７に進む。
【００４７】  進路予測部１５は、距離ｄが閾値ｄｔｈ以下の場合（Ｓ３１：ＹＥＳ）、又は、他車両が２輪車を加速しながら追い越していない場合は（Ｓ３３：ＮＯ）、尤度ｖ２を低下させ（Ｓ３５）、ステップＳ３７に進む。ステップＳ３５では、他車両は対象交差点を直進する又は２輪車の方向の反対方向に曲がる可能性が高いと予測する。
【００４８】  例えば、他車両が２輪車を一定の速度で追い越した場合は（Ｓ３３：ＮＯ）、尤度ｖ２を低下させる（Ｓ３５）。なお、一定の速度は、厳密でなくてよく、速度が所定の誤差の範囲内であれば、一定の速度と判断してよい。
【００４９】  なお、他車両が２輪車を加速しながら追い越した場合は（Ｓ３３：ＹＥＳ）、２輪車と他車両が走行する車線に２輪車専用レーンが有るか否かを判定し、２輪車専用レーンが無い場合はステップＳ２７に進み、有る場合はステップＳ３５に進んでもよい。
【００５０】  ステップＳ３７以降は、他車両が走行する車線（以下、走行車線という）に対向する車線（以下、対向車線という）を自車両が対象交差点に向かって走行していることを前提とする。
ステップＳ３７では、進路予測部１５は、自車両の方向指示器の状態を取得し、取得した状態に基づいて、自車両が、他車両の走行車線を跨がないで曲がる方向の方向指示を行っているか否かを判定する（Ｓ３７）。
【００５１】  進路予測部１５は、自車両が、他車両の走行車線を跨いで曲がる方向の方向指示を行っている場合（Ｓ３７：ＮＯ）、又は、自車両が方向指示を行っていない場合は（Ｓ３７：ＮＯ）、他車両が対向車線を跨いで対象交差点を曲がった後に走行する車線を横切る横断歩道などに歩行者がいるか否かを判定する（Ｓ３９）。歩行者がいない場合は（Ｓ３９：ＮＯ）、処理を終える。
【００５２】  進路予測部１５は、自車両が走行車線を跨がないで曲がる方向の方向指示を行っている場合（Ｓ３７：ＹＥＳ）、又は、歩行者がいる場合は（Ｓ３９：ＹＥＳ）、他車両が減速したか否かを判定する（Ｓ４１）。
【００５３】  進路予測部１５は、他車両が減速した場合（Ｓ４１：ＹＥＳ）、尤度ｖ３を高め（Ｓ４３）、処理を終える。つまり、ステップＳ４３では、他車両は対象交差点を２輪車の方向の反対方向に曲がると予測する。車両が右側通行の場合、他車両は対象交差点を左折すると予測する（Ｓ４３）。
【００５４】  一方、他車両が減速していない場合（Ｓ４１：ＮＯ）、尤度ｖ１を高め（Ｓ４５）、処理を終える。つまり、ステップＳ４５では、他車画は対象交差点を直進すると予測する。
【００５５】  具体的に交差点と車両を図示しながら、実施形態の作用効果を説明する。
図４Ａ以降の図において、車両が右側通行であり、Ｋが対象交差点、Ｓが自車両、Ａが他車両、Ｂが２輪車とする。
【００５６】  図４Ａに示すように、２輪車Ｂは、片側１車線の道路のうち、対象交差点Ｋに向かう走行車線の路肩寄り（右寄り）を走行している。２輪車Ｂは、路肩を走行することもある。すなわち、２輪車Ｂは、この走行車線の中央よりも路肩寄りを走行している。仮にこの道路が一方通行の道路であっても、多くの場合、２輪車Ｂは路肩寄りを走行する。すなわち、２輪車は道路の中央よりも路肩寄り（右寄り）を走行する。図４Ｂ以降でも２輪車Ｂは右寄りを走行する。
【００５７】  このような２輪車Ｂを他車両Ａが追従している場合、他車両Ａは対象交差点Ｋを右折すると予測する。つまり、２輪車Ｂが対象交差点Ｋを直進し（又は右折し）、その後、他車両Ａが対象交差点Ｋを右折すると予測する。
【００５８】  仮にこの予測を行わない場合の車両の動作について説明する。例えば、自車両Ｓが右折を予定し、他車両Ａがまだ方向指示を行っていない場合、他車両Ａが左折する可能性があるので、自車両Ｓは対象交差点Ｋの手前で一旦停止しなければならない。
【００５９】  そこで、実施形態では、他車両Ａが２輪車Ｂに追従している場合は、他車両Ａが右折すると予測する。
他車両Ａが右折するので、右折後は、２輪車Ｂの進路に基づいて、自車両の走行を支援するのが好ましい。実施形態では、他車両Ａが２輪車Ｂに追従し、他車両Ａが右折すると予測した時点で、すなわち早期に２輪車Ｂの進路を予測する。そして、予測した２輪車Ｂの進路に基づいて自車両Ｓの走行を支援する。
【００６０】  例えば、２輪車Ｂが直進すると予測し、自車両Ｓが左折を予定している場合は、２輪車Ｂを対象として、２輪車Ｂに注意しながら２輪車Ｂの前を通過し、対象交差点Ｋを左折するなどの安全措置を講じることができる。
【００６１】  さらに、他車両Ａが右折すると予測するので、例えば、他車両Ａが方向指示を行うタイミングより早く他車両Ａが右折すると予測できる。よって、右折を予定している自車両Ｓは対象交差点Ｋの手前で減速や一旦停止しなくてよく、スムーズな走行が可能となる。
【００６２】  図４Ａとは異なり、図４Ｂに示すように他車両Ａが２輪車Ｂに追従していない場合、つまり、２輪車Ｂを追い越した場合は、他車両Ａが直進する可能性も、右折する可能性も、左折する可能性もある。
【００６３】  図４Ｃに示すように、２輪車Ｂから対象交差点Ｋまでの距離ｄが閾値ｄｔｈより長く、他車両Ａが２輪車Ｂを一定の速度で追い越した場合は、他車両Ａは直進又は左折すると予測する。すなわち、他車両Ａが方向指示を行うタイミングより早く、他車両Ａが右折しないと予測できる。
【００６４】  これにより、自車両Ｓが右折を予定している場合、自車両Ｓは、他車両Ａが先に左折しそうな場合は、早めに減速したり、対象交差点Ｋの手前で一旦停止したり、他車両Ａが左折してから対象交差点Ｋを右折するなどの安全措置を講じることができる。
【００６５】  また、図４Ｄに示すように、２輪車Ｂから対象交差点Ｋまでの距離ｄが閾値ｄｔｈより長く、他車両Ａが２輪車Ｂを加速しながら追い越した場合であっても、２輪車Ｂと他車両Ａが走行する道路に２輪車専用レーンｒがある場合は、他車両Ａは直進又は左折すると予測する。すなわち、右折しないと予測する。なぜなら、他車両Ａが右折すると、２輪車専用レーンｒを横切り、２輪車Ｂの前を塞ぐことになるからである。すなわち、他車両Ａが方向指示を行うタイミングより早く、他車両Ａが右折しないと予測できる。これにより、自車両Ｓは、図４Ｃの場合と同様に安全措置を講じることができる。
【００６６】  一方、図４Ｅに示すように、２輪車Ｂから対象交差点Ｋまでの距離ｄが閾値ｄｔｈより長く、他車両Ａが２輪車Ｂを加速しながら追い越し、２輪車Ｂと他車両Ａが走行する道路に２輪車専用レーンがない場合は、他車両Ａは右折すると予測する。なぜなら、例えば、対象交差点Ｋの信号機が変わるまでに、他車両Ａが対象交差点Ｋを右折したいと考えられるからである。２輪車専用レーンの有無を考慮しない場合も同様である。すなわち、他車両Ａが方向指示を行うタイミングより早く、他車両Ａが右折すると予測できる。
【００６７】  他車両Ａが右折するので、図４Ａと同様に、右折後は、２輪車Ｂの進路に基づいて、自車両の走行を支援するのが好ましい。そこで、実施形態では、距離ｄが閾値ｄｔｈより長く、他車両Ａが２輪車Ｂを加速しながら追い越し、道路に２輪車専用レーンがなく、他車両Ａが右折すると予測した時点で、すなわち早期に２輪車Ｂの進路を予測する。そして、予測した２輪車Ｂの進路に基づいて自車両Ｓの走行を支援する。
【００６８】  例えば、２輪車Ｂが直進すると予測し、自車両Ｓが左折を予定している場合は、２輪車Ｂを対象として、２輪車Ｂに注意しながら対象交差点Ｋを左折するなどの安全措置を講じることができる。
さらに、他車両Ａが右折すると予測するので、右折を予定している自車両Ｓは対象交差点Ｋの手前で一旦停止しなくてよく、スムーズな走行が可能となる。また、自車両Ｓが直進を予定している場合は、減速せずに対象交差点Ｋを通過できる。
【００６９】  図５Ａに示すように、２輪車Ｂから対象交差点Ｋまでの距離ｄが閾値ｄｔｈ以下の場合は、他車両Ａが右折する可能性が極めて低く、実質的には直進する可能性と、左折する可能性とがある。
【００７０】  図５Ｂに示すように、自車両Ｓが右折の方向指示を行い、他車両Ａが減速した場合は、他車両Ａが左折すると予測する。なぜなら、交差点では左折より右折が優先することや、自車両Ｓが右折の方向指示を行っていることなどが理由で他車両Ａが減速したと考えられるからである。
【００７１】  図５Ｃに示すように、他車両Ａが仮に左折した後に走行する道路Ｒ２を横切る横断歩道Ｐなどに歩行者Ｈがいて、他車両Ａが減速した場合は、他車両Ａが左折すると予測する。
【００７２】  また、上記のような他車両の進路予測は、自車両Ｓが他車両の対向車両でない場合に実行してもよい。
図６Ａに示す対象交差点Ｋには信号機がないとする。自車両Ｓは、他車両Ａが仮に左折した場合、左折後に走行する道路Ｒ２を対象交差点Ｋに向かって走行している。自車両Ｓの進路予測部１５は、他車両Ａが２輪車Ｂに追従しているので、他車両Ａは対象交差点Ｋを右折すると予測する。
【００７３】  他車両Ａが右折するので、図４Ａと同様に、右折後は、２輪車Ｂの進路に基づいて、自車両の走行を支援するのが好ましい。そこで、実施形態では、他車両Ａが２輪車Ｂに追従し、他車両Ａが右折すると予測した時点で、すなわち早期に２輪車Ｂの進路を予測する。そして、予測した２輪車Ｂの進路に基づいて自車両Ｓの走行を支援する。
【００７４】  例えば、２輪車Ｂが直進すると予測し、自車両Ｓが直進又は左折を予定している場合は、２輪車Ｂを対象として、２輪車Ｂに注意しながら対象交差点Ｋを直進又は左折するなどの安全措置を講じることができる。
【００７５】  また、他車両Ａが方向指示を行うタイミングより早く、他車両Ａが右折すると予測できる。
これにより、左折を予定している自車両Ｓは対象交差点Ｋの手前で一旦停止しなくてよく、特に左折後は２輪車Ｂだけに注意すればよく、スムーズな走行が可能となる。
【００７６】  図６Ａにおいて、他車両Ａの方向指示に基づいて他車両Ａの進路を予測する場合、予測のタイミングが遅くなるので、自車両Ｓはそれまでに減速が必要となることがある。そして、他車両Ａが例えば右折の方向指示を行ったタイミングで、減速を中止し、対象交差点Ｋを左折することができる。
【００７７】  図６Ｂに示すように、自車両Ｓは他車両Ａの後方を対象交差点Ｋに向かって走行している。自車両Ｓの進路予測部１５は、他車両Ａが２輪車Ｂに追従しているので、他車両Ａは対象交差点Ｋを右折すると予測する。
【００７８】  他車両Ａが右折するので、図４Ａと同様に、右折後は、２輪車Ｂの進路に基づいて、自車両の走行を支援するのが好ましい。そこで、実施形態では、他車両Ａが２輪車Ｂに追従し、他車両Ａが右折すると予測した時点で、すなわち早期に２輪車Ｂの進路を予測する。そして、予測した２輪車Ｂの進路に基づいて自車両Ｓの走行を支援する。
【００７９】  例えば、２輪車Ｂが直進すると予測し、自車両Ｓが直進又は右折を予定している場合は、２輪車Ｂを対象として、２輪車Ｂに注意しながら対象交差点Ｋを直進又は左折するなどの安全措置を講じることができる。
さらに、他車両Ａが方向指示を行うタイミングより早く、他車両Ａが右折すると予測できる。よって、例えば、他車両Ａが右折する際に減速すると予測し、自車両Ｓと他車両Ａの車間距離を広くすることができる。
【００８０】  以上のように、実施形態では、交差点（対象交差点）に向かって道路を走行する他車両と他車両とは異なる周囲物体（２輪車など）について予測した進路（予測進路という）に基づいて自車両の走行を支援する（Ｓ１３）。また、実施形態では、道路を交差点に向かって走行する周囲物体を検出する（Ｓ２１）。そして、他車両が周囲物体を追従している場合は（Ｓ２５：ＹＥＳ）、他車両の予測進路の代わりに、周囲物体について予測した進路（予測進路という）に基づいて、自車両の走行を支援する（Ｓ１３）。
【００８１】  よって、他車両については、方向指示が行われる前にすなわちより早期に進路を予測でき、周囲物体については、他車両が周囲物体を追従している時点ですなわちより早期に進路を予測できる。その結果、より早期に周囲物体と他車両の進路を予測でき、予測した進路に基づいて自車両の走行を支援できる。
【００８２】  また、他車両が周囲物体を追従していない場合は（Ｓ２５：ＮＯ）、他車両が交差点を周囲物体の方向（周囲物体側）に曲がらないと予測する（Ｓ３５、Ｓ４３、Ｓ４５）。よって、他車両が交差点を周囲物体側に曲がらないことを早期に予測でき、予測した進路に基づいて自車両の走行を支援できる。
【００８３】  また、周囲物体から対象交差点までの距離が所定の閾値より長く（Ｓ３１：ＮＯ）、すなわち距離が閾値より長い区間で、他車両が一定の速度で周囲物体を追い越した場合は（Ｓ３３：ＮＯ）、他車両が交差点を周囲物体の方向（周囲物体側）に曲がらないと予測する（Ｓ４３、Ｓ４５）。よって、他車両が交差点を周囲物体側に曲がらないことを早期に予測でき、予測した進路に基づいて自車両の走行を支援できる。
【００８４】  また、周囲物体から対象交差点までの距離が所定の閾値より長く（Ｓ３１：ＮＯ）、すなわち距離が閾値より長い区間で、他車両が加速しながら周囲物体を追い越した場合は（Ｓ３３：ＹＥＳ）、他車両が交差点を周囲物体の方向（周囲物体側）に曲がると予測する（Ｓ２７）。よって、他車両が交差点を周囲物体側に曲がることを早期に予測でき、予測した進路に基づいて自車両の走行を支援できる。
【００８５】  なお、本実施の形態では、自車両（Ｓ）に車両走行支援装置を搭載した。しかし、自車両に通信可能なサーバ装置又は自車両でない車両に車両走行支援装置を搭載し、必要な情報と指示はサーバ装置又は車両走行支援装置を搭載した車両と自車両の間の通信により送受信することで、同様の車両走行支援方法を遠隔的に行ってもよい。サーバ装置と自車両の間の通信は無線通信又は路車間通信により実行可能である。車両走行支援装置を搭載した車両と自車両の間の通信は所謂車車間通信により実行可能である。
【００８６】  以上、本発明の実施形態を記載したが、この開示の一部をなす論述及び図面はこの発明を限定するものであると理解すべきではない。この開示から当業者には様々な代替実施の形態、実施例及び運用技術が明らかとなろう。
【００８７】  上述の各実施形態で示した各機能は、１又は複数の処理回路により実装され得る。処理回路は、電気回路を含む処理装置等のプログラムされた処理装置を含む。処理装置は、また、実施形態に記載された機能を実行するようにアレンジされた特定用途向け集積回路（ＡＳＩＣ）や従来型の回路部品のような装置を含む。
【符号の説明】
【００８８】１  物体検出装置
２ａ  検出統合部
２ｂ  物体追跡部
３  自車位置推定装置
４  地図取得装置
５  地図内位置演算部
１０  動作予測部
１１  挙動判定部
１２  交差点判定部
１３  ２輪車検出部
１４  他車両検出部
１５  進路予測部
２１  自車経路生成部
２２  車両制御部
Ａ  他車両
Ｂ  ２輪車（周囲物体）
Ｓ  自車両
ｖ１、ｖ２、ｖ３  尤度
【図１】
2019171100.tif 000003
【図２】
2019171100.tif 000004
【図３】
2019171100.tif 000005
【図４Ａ】
2019171100.tif 000006
【図４Ｂ】
2019171100.tif 000007
【図４Ｃ】
2019171100.tif 000008
【図４Ｄ】
2019171100.tif 000009
【図４Ｅ】
2019171100.tif 000010
【図５Ａ】
2019171100.tif 000011
【図５Ｂ】
2019171100.tif 000012
【図５Ｃ】
2019171100.tif 000013
【図６Ａ】
2019171100.tif 000014
【図６Ｂ】
2019171100.tif 000015
【手続補正書】
【提出日】令和1年7月4日(2019.7.4)
【手続補正１】
【補正対象書類名】特許請求の範囲
【補正対象項目名】全文
【補正方法】変更
【補正の内容】
【特許請求の範囲】
【請求項１】
交差点に向かって道路を走行する他車両と他車両とは異なる周囲物体の予測進路に基づいて自車両の走行を支援する車両走行支援装置の車両走行支援方法であって、
前記道路を前記交差点に向かって走行する、前記周囲物体を検出し、
前記他車両が前記周囲物体を追従しているか否かに基づいて前記他車両の前記交差点における進行方向である予測進路を予測し、予測した前記他車両の予測進路と前記周囲物体の予測進路とに基づいて、前記自車両の走行を支援する
ことを特徴とする車両走行支援方法。
【請求項２】
前記他車両が前記周囲物体を追従していない場合は、前記他車両が前記交差点を前記道路の幅方向の中央よりも前記周囲物体側の方向に曲がらないと予測する
ことを特徴とする請求項１記載の車両走行支援方法。
【請求項３】
前記交差点までの距離が所定の閾値より長い区間で、前記他車両が一定の速度で前記周囲物体を追い越した場合は、前記他車両が前記交差点を前記道路の幅方向の中央よりも前記周囲物体側の方向に曲がらないと予測する
ことを特徴とする請求項１又は２記載の車両走行支援方法。
【請求項４】
前記交差点までの距離が所定の閾値より長い区間で、前記他車両が加速しながら前記周囲物体を追い越した場合は、前記他車両が前記交差点を前記道路の幅方向の中央よりも前記周囲物体側の方向に曲がると予測する
ことを特徴とする請求項１ないし３のいずれかに記載の車両走行支援方法。
【請求項５】
交差点に向かって道路を走行する他車両と他車両とは異なる周囲物体の予測進路に基づいて自車両の走行を支援する車両走行支援装置であって、
前記道路を前記交差点に向かって走行する、前記周囲物体を検出するセンサと、
前記他車両が前記周囲物体を追従しているか否かに基づいて前記他車両の前記交差点における進行方向である予測進路を予測し、予測した前記他車両の予測進路と前記周囲物体の予測進路とに基づいて、前記自車両の走行を支援する制御回路と
を備えることを特徴とする車両走行支援装置。
【手続補正書】
【提出日】令和2年10月6日(2020.10.6)
【手続補正１】
【補正対象書類名】明細書
【補正対象項目名】００７９
【補正方法】変更
【補正の内容】
【００７９】
例えば、２輪車Ｂが直進すると予測し、自車両Ｓが直進又は右折を予定している場合は、２輪車Ｂを対象として、２輪車Ｂに注意しながら対象交差点Ｋを直進又は右折するなどの安全措置を講じることができる。
さらに、他車両Ａが方向指示を行うタイミングより早く、他車両Ａが右折すると予測できる。よって、例えば、他車両Ａが右折する際に減速すると予測し、自車両Ｓと他車両Ａの車間距離を広くすることができる。
【手続補正２】
【補正対象書類名】図面
【補正対象項目名】図１
【補正方法】変更
【補正の内容】
【図１】
2019171100.tif 000016
【国際調査報告】
2019171100.tif 000017
2019171100.tif 000018
2019171100.tif 000019
2019171100.tif 000020